(57)【要約】【課題】降雨時においても傘を取り付けて一体にして使用することができ、且つ糞便袋を簡単で確実に装着できる犬用糞便採取具を提供する。【解決手段】上部が開口した容器１０と、容器１０の外壁部に設けた支持部１１に着脱自在に取り付ける伸縮可能な柄部２０と、容器１０内に装着する糞便袋３０とを備え、容器１０の開口部周辺にリング状の糞便袋押さえ１２を回動自在に取り付ける。容器１０側面の中央部の径が容器１０開口部及び底面部の径より小さくなるように容器１０側面に凹部を形成する。伸縮可能な柄部２０の上端部に接続部材２２を取り付け、傘４０の下端部を螺着する。【選択図】  図１
0003122119.tif 000002
【実用新案登録請求の範囲】
【請求項１】
上部が開口した容器と、前記容器の外壁部に設けた支持部に着脱自在に取り付ける伸縮可能な柄部と、前記容器内に装着する糞便袋とを備え、前記容器の開口部周辺にリング状の糞便袋押さえを回動自在に取り付けたことを特徴とする犬用糞便採取具。
【請求項２】
前記容器側面の中央部の径が当該容器開口部及び底面部の径より小さくなるように前記容器側面に凹部を形成したことを特徴とする請求項１に記載の犬用糞便採取具。
【請求項３】
前記伸縮可能な柄部の上端部に螺子構造を有する接続部材を取り付け、前記接続部材に傘の下端部の螺子を螺着することを特徴とする請求項１又は請求項２に記載の犬用糞便採取具。
【考案の詳細な説明】
【技術分野】
【０００１】
本考案は、犬の散歩を行う際に携帯に便利であって、特に降雨時においても傘を取り付けて一体にして使用することができ、且つ糞便袋を簡単で確実に装着できる犬用糞便採取具に関するものである。
【背景技術】
【０００２】
従来からの犬の糞便処理としては、地面に落下した糞便をスコップで拾いビニール袋に入れる又はビニール袋を手袋のように使い糞便を手で掴み取ってビニール袋を裏返して中に入れる方法が考えられている。しかし、このような方法では、地面に落下した糞便を採取することになるため、糞便を丁寧に取り去ったとしても路上を汚すことになり、街の美観を損なうばかりでなく環境衛生も害するおそれがある。
【０００３】
近年ではペットブームの影響から小型犬から大型犬まで多種多様な犬が飼われるようになり、犬の飼い方も多様化している状況にあるため、糞便を回収せずにそのまま放置する飼い主も散見されることから、飼い主の環境に対する意識やマナーが問われるようになっている。
【０００４】
そこで、飼い主の責任において環境・マナーを守って犬の糞便の問題を解決する必要があり、犬用糞便採取具については、例えば、以下に示すように、犬の散歩時に携帯するのに適し、犬が糞便をする際の習性を利用して排糞時に糞便をタイミングよく受け止めることができる犬用糞便採取具が提案されている。
【０００５】
特開２０００−３１６４０８号公報には、犬の糞を地面に落とさず簡単にかつ衛生的に処理することを目的とし、取っ手付円柱容器の底に抜き取り口を設け、その下部にロール巻きビニール袋を入れた円柱容器を装着する「犬の糞取り用具」が開示されている（特許文献１）。
【０００６】
特開２００２−３３０６５７号公報には、円錐体の一部に適宜長さの水平面を設けたすくい取り部を有した円錐体ならび円筒体と、上方斜めに突設した支持体を固設した支持台を三者一体とした受枠体に、支持台に対向する一側に切除部を設け、円筒体の左右対称に開閉自在の挟着板を周設し、その両者に伸縮性を有する弾性体を張架した構成の受枠体に固設した支持体に、長尺のシャフトの支柱部に接合して支持される「犬の携帯用採糞具」が開示されている（特許文献２）。
【０００７】
特開２００５−２２９９８９号公報には、開いたがま口形をなす弾力性カバーの一方側に把っ手を設け、その把っ手の取り付け基部にワイヤーの中間を掛けるとともにそのワイヤーの先端を他方側の開口部に固定し、そのワイヤー基部を把っ手下部に上下スライド可能に設けてフットペダルに固定した他方側カバーがフットペダルの引き下げにより閉じられると共にフットペダルを引き上げにより他方側カバーが開くようにし、カバーの内部に周線に沿ってリング掛止部を設けリングに装着したレジ袋を掛止めする「簡易糞尿処理器」が開示されている（特許文献３）。
【０００８】
実用新案登録第３１０６４６３号公報には、軽くて簡単に操作できるように、糞を受け取る輪は軽く且つ加工しやすい塩化樹脂（ポリプロピレン等）を使用し、ポリ袋を押さえるための外輪をスクリューにした「犬の糞取り器」が開示されている（特許文献４）。
【０００９】
【特許文献１】特開２０００−３１６４０８号公報
【特許文献２】特開２００２−３３０６５７号公報
【特許文献３】特開２００５−２２９９８９号公報
【特許文献４】実用新案登録第３１０６４６３号公報
【考案の開示】
【考案が解決しようとする課題】
【００１０】
上述した従来技術では、降雨時において犬の散歩を行う場合、傘を手で持ちながら糞便採取具も手で持って使用する必要があるため非常に煩雑になるという問題を有している。また、糞便袋を糞便採取具に装着するのに手間がかかるという問題も有している。そこで、本考案は、これらの問題を解決するため、犬の散歩を行う際に携帯に便利であって、特に降雨時においても傘を取り付けて一体にして使用することができ、且つ糞便袋を簡単で確実に装着できる犬用糞便採取具を提供することを目的とする。
【課題を解決するための手段】
【００１１】
上記課題を解決するために、請求項１に記載の考案は、上部が開口した容器と、前記容器の外壁部に設けた支持部に着脱自在に取り付ける伸縮可能な柄部と、前記容器内に装着する糞便袋とを備え、前記容器の開口部周辺にリング状の糞便袋押さえを回動自在に取り付けた構成を採用したのである。
【００１２】
また、請求項２に記載の考案について、請求項１に記載の前記容器側面の中央部の径が当該容器開口部及び底面部の径より小さくなるように前記容器側面に凹部を形成したことを特徴とする。
【００１３】
また、請求項３に記載の考案について、請求項１又は請求項２に記載の前記伸縮可能な柄部の上端部に螺子構造を有する接続部材を取り付け、前記接続部材に傘の下端部の螺子を螺着することを特徴とする。
【考案の効果】
【００１４】
以上のように、本考案によれば、容器の開口部周辺にリング状の糞便袋押さえを回動自在に取り付けたことにより、簡単な操作で容器内に装着した糞便袋が抜け出るのを防止することができる。また、容器側面に凹部を形成したことにより、糞便袋を容器に装着することが容易になる。このため、携帯に便利であって且つ糞便袋を簡単で確実に装着することが可能になる。
【００１５】
さらに、本考案によれば、柄部の上端部に設けた接続部材を介して傘を取り付けたことにより、降雨時において傘と一体にして手で持って使用することができるため、従来の糞便採取具と比較して使用者の煩わしさを解消することが可能になる。
【考案を実施するための最良の形態】
【００１６】
以下、本考案の実施の一形態について、図面を参酌しながら説明する。
【００１７】
図１は本考案に係る犬用糞便採取具の一例を示す斜視図である。図２は図１に示す犬用糞便採取具を分解した状態を示す説明図である。図３は図１に示す犬用糞便採取具を構成する容器の側面図である。
【００１８】
図１及び図２に示すように、本考案に係る犬用糞便採取具は、容器１０と、柄部２０と、糞便袋３０と、傘４０とから構成されている。なお、傘４０は降雨時において使用するものであるため、降雨時以外のときは傘４０を取り外した状態（容器１０、柄部２０、糞便袋３０から構成される状態）で使用することができる。
【００１９】
容器１０の外壁部には、柄部２０の下端部２１を着脱自在に取り付けることができる支持部１１が設けられている。容器１０の開口部周辺には、リング状の糞便袋押さえ１２が回動自在に取り付けられている（図３参照）。このリング状の糞便袋押さえ１２を設けたことにより、簡単な操作で容器１０の内部に装着した糞便袋３０が抜け出るのを防止することができる。
【００２０】
容器１０は上部が開口しており、容器１０の側面の中央部の径が容器１０の開口部及び底面部の径より小さくなるように容器１０の側面に凹部が形成されている（図３参照）。これにより、容器１０の内部にビニール製の糞便袋３０を装着することが容易になる。
【００２１】
柄部２０は携帯が便利になるように伸縮可能な部材により構成されており、本考案品を使用しない場合には容器１０から取り外してコンパクトに収納できるようにしておく。
【００２２】
柄部２０の下端部２１は、上述したように容器１０の支持部１１に着脱自在に取り付けられる。一方、柄部２０の上端部には、傘４０の柄４１を着脱自在に取り付ける接続部材２２が設けられている。接続部材２２には螺子構造が設けられており、接続部材２２に傘４０の柄４１の下端部の螺子４２が螺着される。これにより、降雨時においては傘と一体にした犬用糞便採取具を手で持って使用することができる。なお、接続部材２２については、柄部２０と傘４０の柄４１を着脱自在に接続できればよいため、螺子構造以外の接続手段を採用することができる。
【００２３】
次に、本考案に係る犬用糞便採取具の使用方法について説明する。
【００２４】
飼い主が犬の散歩を行う際に携帯するバッグの中に、容器１０と柄部２０と糞便袋３０と傘４０とをコンパクトにして収納しておく。
携帯バッグについては、例えば、図４に示す携帯バッグ１００を使用するのが好ましい。この携帯バッグ１００は、上部収納部１００と下部収納部１２０に分かれており、上部収納部１００に容器１０と柄部２０と糞便袋３０と傘４０を収容する。一方、下部収納部１２０は、プラスチック製容器が嵌め込まれておりファスナーによって開閉される。このプラスチック製容器の中に糞便が入った糞便袋を収納する。このため、糞便の臭いを感じることなく衛生的に糞便を持ち帰ることができる。
【００２５】
降雨時に散歩を行う際は、最初から柄部２０と傘４０とを取り付けて柄部２０を短く調整しておくことにより、傘と同じように使用できる。
糞便を採取するために使用するときは、柄部２０を長くして、容器１０を取り付けて糞便袋３０を装着すると準備が完了する。なお、最初から容器１０に糞便袋３０を装着しておくこともできる。このように、降雨時において傘と一体にして手で持って使用することができるため、従来の糞便採取具と比較して使用者の煩わしさを解消することが可能になる。
【図面の簡単な説明】
【００２６】
【図１】本考案に係る犬用糞便採取具の一例を示す斜視図である。
【図２】図１に示す犬用糞便採取具を分解した状態を示す説明図である。
【図３】図１に示す犬用糞便採取具を構成する容器の側面図である。
【図４】本考案に係る犬用糞便採取具を収容する携帯バッグの一例を示す説明図である。
【符号の説明】
【００２７】
１０  容器
１１  支持部
１２  糞便袋押さえ
２０  柄部
２１  下端部
２２  接続部材
３０  糞便袋
４０  傘
４１  柄
４２  螺子
１００  携帯バッグ
１１０  上部収納部
１２０  下部収納部
【図１】
0003122119.tif 000003
【図２】
0003122119.tif 000004
【図３】
0003122119.tif 000005
【図４】
0003122119.tif 000006